(57)【要約】【課題】装置の状態を示すための発光素子を備える装置において、装置の状態をより正しく把握することが可能な宅内通信装置を提供する。【解決手段】宅内通信装置は、宅内に配置される宅内通信装置であって、前記宅内通信装置の状態を示すための発光素子と、現在時刻に関する判断を行なう時間判断部と、前記宅内に配置される照度センサの検出結果を示す照度情報を取得する照度情報取得部と、前記宅内に配置される照明の使用状態を判断する照明判断部と、前記時間判断部による判断結果、および前記照明判断部による判断結果に基づいて、前記発光素子の輝度を、前記照度情報取得部によって取得された前記照度情報の示す前記検出結果に応じた大きさに変更する第１制御、および前記発光素子を消灯させる第２制御を切り替える制御部とを備える。【選択図】図３
2017033840.tif 000002
【特許請求の範囲】
【請求項１】
宅内に配置される宅内通信装置であって、
前記宅内通信装置の状態を示すための発光素子と、
現在時刻に関する判断を行なう時間判断部と、
前記宅内に配置される照度センサの検出結果を示す照度情報を取得する照度情報取得部と、
前記宅内に配置される照明の使用状態を判断する照明判断部と、
前記時間判断部による判断結果、および前記照明判断部による判断結果に基づいて、前記発光素子の輝度を、前記照度情報取得部によって取得された前記照度情報の示す前記検出結果に応じた大きさに変更する第１制御、および前記発光素子を消灯させる第２制御を切り替える制御部とを備える、宅内通信装置。
【請求項２】
前記宅内通信装置は、さらに、
前記宅内における人間の存在を検知する人感センサの検知結果を示す人感情報を取得する人感情報取得部を備え、
前記制御部は、前記時間判断部による判断結果、前記照明判断部による判断結果、および前記人感情報取得部によって取得された前記人感情報の示す前記検知結果に基づいて、前記第１制御および前記第２制御を切り替える、請求項１に記載の宅内通信装置。
【請求項３】
前記制御部は、前記時間判断部による判断結果が夜間であることを示し、前記照明判断部による判断結果が前記照明のオン状態を示し、かつ前記人感情報が人間を検知した旨を示す場合、前記第１制御を行なう、請求項２に記載の宅内通信装置。
【請求項４】
前記宅内通信装置は、さらに、
前記照明のスイッチの状態を示す照明情報を取得する照明情報取得部を備え、
前記照明判断部は、前記照明情報取得部によって取得された前記照明情報に基づいて前記使用状態を判断する、請求項１から請求項３のいずれか１項に記載の宅内通信装置。
【請求項５】
前記照明判断部は、前記照度情報取得部によって取得された前記照度情報に基づいて前記使用状態を判断する、請求項１から請求項４のいずれか１項に記載の宅内通信装置。
【発明の詳細な説明】
【技術分野】
【０００１】
本発明は、宅内通信装置に関し、特に、装置の状態を示すための発光素子を備える宅内通信装置に関する。
【背景技術】
【０００２】
携帯電話等のバックライトの輝度を適切に制御するための技術が各種開発されている。たとえば、特開平３−１２７４９０号公報には、以下のような技術が開示されている。すなわち、液晶表示器とバックライトを合わせ持つ情報端末装置において、外部の明るさを検知し電気的エネルギーに変換するための光センサを設け、その電気的エネルギーでバックライトの輝度を制御する機能を有したことによって、外部の明るさに応じて自動的にバックライトが適正輝度に調整されるようにしたものである。
【先行技術文献】
【特許文献】
【０００３】
【特許文献１】特開平３−１２７４９０号公報
【発明の概要】
【発明が解決しようとする課題】
【０００４】
たとえば、電源供給の有無等、装置の状態を示すための発光素子が設けられている装置において、特許文献１に記載の情報端末装置と同様に、外部の明るさに応じて当該発光素子の輝度を調整する構成では、たとえば、夜間においてユーザが就寝中であっても発光素子が点灯することになる。
【０００５】
このような不要な点灯を防止するために、たとえば、設定された時刻になると夜間であるとして発光素子を消灯する方法が考えられる。
【０００６】
しかしながら、このような方法では、時刻設定通りにしか発光素子が制御されず、たとえば、設定された時刻を過ぎてもユーザが起きている場合、発光素子が消灯しているため、ユーザが当該装置の状態を正しく判断することが困難となる。
【０００７】
この発明は、上述の課題を解決するためになされたもので、その目的は、装置の状態を示すための発光素子を備える装置において、装置の状態をより正しく把握することが可能な宅内通信装置を提供することである。
【課題を解決するための手段】
【０００８】
（１）上記課題を解決するために、この発明のある局面に係わる宅内通信装置は、宅内に配置される宅内通信装置であって、前記宅内通信装置の状態を示すための発光素子と、現在時刻に関する判断を行なう時間判断部と、前記宅内に配置される照度センサの検出結果を示す照度情報を取得する照度情報取得部と、前記宅内に配置される照明の使用状態を判断する照明判断部と、前記時間判断部による判断結果、および前記照明判断部による判断結果に基づいて、前記発光素子の輝度を、前記照度情報取得部によって取得された前記照度情報の示す前記検出結果に応じた大きさに変更する第１制御、および前記発光素子を消灯させる第２制御を切り替える制御部とを備える。
【０００９】
本発明は、このような特徴的な処理部を備える宅内通信装置として実現できるだけでなく、かかる特徴的な処理をステップとする方法として実現したり、かかるステップをコンピュータに実行させるためのプログラムとして実現したりすることができる。また、本発明は、宅内通信装置の一部または全部を実現する半導体集積回路として実現したり、宅内通信装置を含むシステムとして実現したりすることができる。
【発明の効果】
【００１０】
本発明によれば、装置の状態を示すための発光素子を備える装置において、装置の状態をより正しく把握することができる。
【図面の簡単な説明】
【００１１】
【図１】図１は、本発明の実施の形態に係る通信システムの構成を示す図である。
【図２】図２は、本発明の実施の形態に係る通信システムにおける宅内通信装置の構成を示す図である。
【図３】図３は、本発明の実施の形態に係る宅内通信装置における処理部の構成を示す図である。
【図４】図４は、本発明の実施の形態に係る宅内通信装置において発光素子を制御するための回路構成の一例を示す図である。
【図５】図５は、本発明の実施の形態に係る宅内通信装置において発光素子を制御するための回路構成の他の例を示す図である。
【図６】図６は、本発明の実施の形態に係る宅内通信装置における発光素子の制御内容の一例を示す図である。
【図７】図７は、本発明の実施の形態に係る宅内通信装置の変形例１における処理部の構成を示す図である。
【図８】図８は、本発明の実施の形態に係る宅内通信装置の変形例２における処理部の構成を示す図である。
【発明を実施するための形態】
【００１２】
最初に、本発明の実施形態の内容を列記して説明する。
【００１３】
（１）本発明の実施の形態に係る宅内通信装置は、宅内に配置される宅内通信装置であって、前記宅内通信装置の状態を示すための発光素子と、現在時刻に関する判断を行なう時間判断部と、前記宅内に配置される照度センサの検出結果を示す照度情報を取得する照度情報取得部と、前記宅内に配置される照明の使用状態を判断する照明判断部と、前記時間判断部による判断結果、および前記照明判断部による判断結果に基づいて、前記発光素子の輝度を、前記照度情報取得部によって取得された前記照度情報の示す前記検出結果に応じた大きさに変更する第１制御、および前記発光素子を消灯させる第２制御を切り替える制御部とを備える。
【００１４】
このような構成により、宅内における明るさに応じて発光素子の輝度を適切に調整することに加えて、現在時刻、および宅内における照明の使用状態から、発光素子の点灯および消灯を適切に制御することができる。これにより、たとえば、夜間においてユーザが就寝中の場合に発光素子が点灯することをより確実に防ぎ、また、夜中であると判断される時刻にユーザが起きている場合でも、発光素子を点灯させることができるため、ユーザが宅内通信装置の状態をより正しく判断することが可能となる。したがって、本発明の実施の形態に係る宅内通信装置では、装置の状態を示すための発光素子を備える装置において、装置の状態をより正しく把握することができる。
【００１５】
（２）好ましくは、前記宅内通信装置は、さらに、前記宅内における人間の存在を検知する人感センサの検知結果を示す人感情報を取得する人感情報取得部を備え、前記制御部は、前記時間判断部による判断結果、前記照明判断部による判断結果、および前記人感情報取得部によって取得された前記人感情報の示す前記検知結果に基づいて、前記第１制御および前記第２制御を切り替える。
【００１６】
このような構成により、宅内に人が存在するか否かの情報をさらに用いて、発光素子の点灯および消灯をより適切に制御することができる。
【００１７】
（３）より好ましくは、前記制御部は、前記時間判断部による判断結果が夜間であることを示し、前記照明判断部による判断結果が前記照明のオン状態を示し、かつ前記人感情報が人間を検知した旨を示す場合、前記第１制御を行なう。
【００１８】
このような構成により、たとえば、夜間においてより適切な条件で発光素子を点灯させることができる。すなわち、たとえば、夜間において照明がオンされているが宅内に人が存在しない状況において、発光素子が無駄に点灯されることを防ぐことができる。
【００１９】
（４）好ましくは、前記宅内通信装置は、さらに、前記照明のスイッチの状態を示す照明情報を取得する照明情報取得部を備え、前記照明判断部は、前記照明情報取得部によって取得された前記照明情報に基づいて前記使用状態を判断する。
【００２０】
このような構成により、宅内における照明の使用状態を、直接的に正しく判断することができる。たとえば、宅内に設置された照度センサの検出結果を用いて当該使用状態を判断する構成と比べて、照明の常夜灯が点灯している状況、および外の街灯等からの光によって宅内がある程度明るい状況等においても、当該使用状態をより正確に判断することができる。
【００２１】
（５）好ましくは、前記照明判断部は、前記照度情報取得部によって取得された前記照度情報に基づいて前記使用状態を判断する。
【００２２】
このような構成により、照明にそのスイッチの状態を他の装置すなわち宅内通信装置に報告する機能を搭載させることなく、発光素子の輝度を調整するための既存の仕組みを流用して、宅内における照明の使用状態を判断することができる。
【００２３】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２４】
図１は、本発明の実施の形態に係る通信システムの構成を示す図である。
【００２５】
図１を参照して、通信システム３０１は、宅内通信装置１０１と、照度センサ５１と、人感センサ５２と、照明スイッチ部５３とを備える。
【００２６】
宅内通信装置１０１は、宅内に配置される、具体的には、家庭およびオフィス等の建物２０１に設けられる装置であり、特に限定されるものではないが、たとえば、ホームゲートウェイ、またはホームゲートウェイと家電機器すなわちエンドユーザ機器とを接続するための汎用宅内装置である。
【００２７】
宅内通信装置１０１の動作の一例として、以下のような動作が考えられる。すなわち、宅内通信装置１０１は、センサ等を介して家庭内の各機器から、当該機器の動作に関する情報を受信する。そして、宅内通信装置１０１は、受信した情報に基づいて管理情報を作成し、たとえば作成した管理情報に基づいて各機器の動作制御を行なう。
【００２８】
宅内通信装置１０１は、インターネット等の外部ネットワーク２０２を介してサーバ等の他の装置と通信可能である。
【００２９】
また、宅内通信装置１０１は、電源供給状態および通信状態等、自己の状態を示すＬＥＤ等の発光素子１１を１または複数備える。宅内通信装置１０１は、発光素子１１の自動輝度調整機能を有する。
【００３０】
照度センサ５１は、たとえば、宅内通信装置１０１に取り付けられているか、または宅内通信装置１０１の近傍に設置されており、自己の周囲の明るさを検知し、検知結果である照度を示す照度情報を宅内通信装置１０１へ送信する。たとえば、建物２０１には１または複数の照明１５１が設置されており、照度センサ５１は、たとえば夜間において、照明１５１がオンされている場合、レベルの比較的大きい検知信号を照度情報として宅内通信装置１０１へ出力し、照明１５１がオフされている場合、レベルの比較的小さい検知信号を照度情報として宅内通信装置１０１へ送信する。
【００３１】
人感センサ５２は、赤外線等を用いて人の存在を検知し、人の存在の有無を示す人感情報を宅内通信装置１０１へ送信する。
【００３２】
照明スイッチ部５３は、たとえば照明１５１を操作するためのスイッチを含み、当該スイッチのオンおよびオフ等、照明１５１の動作状態を示す照明情報を宅内通信装置１０１へ送信する。
【００３３】
なお、宅内通信装置１０１は、照度センサ５１、人感センサ５２および照明スイッチ部５３のうちの少なくともいずれか１つを備える構成であってもよい。
【００３４】
また、宅内通信装置１０１と照度センサ５１、人感センサ５２、照明スイッチ部５３および外部ネットワーク２０２との間の通信は、有線通信であってもよいし、無線通信であってもよい。
【００３５】
図２は、本発明の実施の形態に係る通信システムにおける宅内通信装置の構成を示す図である。
【００３６】
図２を参照して、宅内通信装置１０１は、発光素子１１と、通信部１２と、処理部１３と、時計部１４と、設定受付部１５とを備える。
【００３７】
通信部１２は、センサおよびサーバ等の外部装置と通信信号を送受信することにより、当該外部装置と情報のやり取りをすることが可能である。
【００３８】
時計部１４は、時計を含み、現在時刻を処理部１３に通知する。時計部１４における時計は、電波時計等、宅内通信装置１０１以外の他の装置の時刻と同期させることが可能な時計であってもよい。
【００３９】
なお、宅内通信装置１０１は、時計部１４を備えない構成であってもよく、たとえば、建物２０１に設けられた時計から現在時刻を取得する構成であってもよい。
【００４０】
設定受付部１５は、たとえばタッチパネルおよびスイッチ等の操作部を含み、ユーザによる操作部を用いた設定を受け付け、受け付けた設定の内容を示す設定情報を処理部１３へ出力する。
【００４１】
処理部１３は、宅内通信装置１０１における各ユニットからの各種情報を受けて、情報の処理を行い、宅内通信装置１０１における各ユニットを制御することが可能である。また、処理部１３は、たとえば図示しない記憶部を含む。
【００４２】
図３は、本発明の実施の形態に係る宅内通信装置における処理部の構成を示す図である。
【００４３】
図３を参照して、処理部１３は、時間判断部１と、照度情報取得部２と、人感情報取得部３と、照明情報取得部４と、照明判断部５と、制御部６と、装置状態判断部７とを含む。
【００４４】
装置状態判断部７は、宅内通信装置１０１への電源供給の有無および他の装置との通信状態等、宅内通信装置１０１の状態を判断し、判断結果を示す装置状態情報を制御部６へ出力する。
【００４５】
制御部６は、装置状態判断部７から受けた装置状態情報に基づいて、発光素子１１の点灯および消灯を制御する。
【００４６】
照度情報取得部２は、宅内に配置される照度センサ５１の検出結果を示す照度情報を取得する。より詳細には、照度情報取得部２は、通信部１２経由で照度センサ５１からの照度情報を受信し、受信した照度情報を制御部６へ出力する。
【００４７】
制御部６は、照度情報取得部２から受けた照度情報に基づいて、発光素子１１の輝度を調整する。
【００４８】
時間判断部１は、現在時刻に関する判断を行なう。より詳細には、時間判断部１は、時計部１４から通知された現在時刻に基づいて、たとえば、昼間であるか夜間であるかの判断を行い、判断結果を示す時間情報を制御部６へ出力する。具体的には、たとえば、時間判断部１は、昼間および夜間の境界時刻を示す設定情報を設定受付部１５から受けて、受けた設定情報の示す境界時刻と時計部１４から通知された現在時刻とを比較することにより、昼間であるか夜間であるかの判断を行なう。
【００４９】
人感情報取得部３は、宅内における人間の存在を検知する人感センサ５２の検知結果を示す人感情報を取得する。より詳細には、人感情報取得部３は、通信部１２経由で人感センサ５２からの人感情報を受信し、受信した人感情報を制御部６へ出力する。
【００５０】
照明情報取得部４は、照明１５１のスイッチの状態を示す照明情報を取得する。より詳細には、照明情報取得部４は、通信部１２経由で照明スイッチ部５３からの照明情報を受信し、受信した照明情報を照明判断部５へ出力する。
【００５１】
照明判断部５は、宅内に配置される照明１５１の使用状態を判断する。より詳細には、照明判断部５は、照明情報取得部４から受けた照明情報に基づいて、照明１５１の使用状態を判断し、判断結果を示す照明使用情報を制御部６へ出力する。
【００５２】
制御部６は、装置状態判断部７から受けた装置状態情報に基づく発光素子１１の点灯タイミングＴＳについて、さらに、時間判断部１から受けた時間情報、人感情報取得部３から受けた人感情報、および照明判断部５から受けた照明使用情報に基づいて、発光素子１１を点灯すべきか否かを判断する。
【００５３】
より詳細には、制御部６は、時間判断部１による判断結果、照明判断部５による判断結果、および人感情報取得部３によって取得された人感情報の示す検知結果に基づいて、発光素子１１の輝度を、照度情報取得部２によって取得された照度情報の示す検出結果に応じた大きさに変更する第１制御、および発光素子１１を消灯させる第２制御を切り替える。
【００５４】
具体的には、制御部６は、第１制御において、照度情報取得部２から受けた照度情報の示す検知結果、すなわち照度センサ５１の周囲の明るさに応じて発光素子１１の点灯時の輝度を調整する。そして、制御部６は、発光素子１１の点灯および消灯、ならびに輝度を制御するための制御信号を発光素子１１へ出力する。
【００５５】
発光素子１１は、制御部６から受けた制御信号に応じた明るさで発光するか、または消灯する。
【００５６】
すなわち、制御部６では、発光素子１１は宅内通信装置１０１の状態を示すためのものであるから、発光素子１１の点灯および消灯について宅内通信装置１０１の状態を優先させ、点灯タイミングＴＳ以外においては、第１制御であっても発光素子１１を消灯する。
【００５７】
なお、第２制御における発光素子１１の消灯は、第１制御における発光素子１１の輝度と比べて小さい輝度で発光素子１１が点灯する場合を含んでもよい。
【００５８】
また、照明スイッチ部５３は、照明１５１の常夜灯としての豆電球等のオン状態およびオフ状態を示す照明情報を宅内通信装置１０１へ送信可能であってもよい。
【００５９】
この場合、照明判断部５は、たとえば、常夜灯がオン状態の場合、照明１５１がオフ状態であると判断する。
【００６０】
図４は、本発明の実施の形態に係る宅内通信装置において発光素子を制御するための回路構成の一例を示す図である。
【００６１】
図４を参照して、宅内通信装置１０１は、ＳＯＣ（Ｓｙｓｔｅｍ  ｏｎ  ａ  Ｃｈｉｐ）２５と、発光素子１１と、受光素子２１と、差動増幅器２２と、抵抗２３と、トランジスタ２４と、抵抗２６とを備える。たとえば、受光素子２１は、照度センサ５１に含まれる。
【００６２】
ＳＯＣ２５は、たとえば処理部１３の一部または全部の機能を実現するＣＰＵ（Ｃｅｎｔｒａｌ  Ｐｒｏｃｅｓｓｉｎｇ  Ｕｎｉｔ）であり、制御信号を発光素子１１へ出力する。
【００６３】
受光素子２１は、差動増幅器２２の正側入力端子に接続されたカソードと、差動増幅器２２の負側入力端子に接続されたアノードとを有する。抵抗２３は、差動増幅器２２の出力端子に接続された第１端と、トランジスタ２４のベースに接続された第２端とを有する。トランジスタ２４は、抵抗２６の第２端に接続されたコレクタと、接地電圧の供給される接地ノードに接続されたエミッタとを有する。発光素子１１は、抵抗２６の第１端に接続されたカソードと、ＳＯＣ２５に接続されたアノードとを有する。差動増幅器２２は、電源電圧ＶＣＣの供給される電源ノード、および接地ノードに接続されている。
【００６４】
受光素子２１は、受光量に応じた大きさの電位差を差動増幅器２２の正側入力端子および負側入力端子に与える。
【００６５】
差動増幅器２２は、正側入力端子および負側入力端子の電位差に応じた大きさの電流を抵抗２３経由でトランジスタ２４のベースに供給する。
【００６６】
そして、トランジスタ２４のベースに供給される電流を増幅した電流が、発光素子１１を通して流れる。これにより、発光素子１１の輝度が、受光素子２１の受光量に応じた大きさになる。
【００６７】
ここで、ＳＯＣ２５は、点灯タイミングＴＳかつ第１制御において、たとえば電源電圧ＶＣＣ等の論理ハイレベルの制御信号を発光素子１１へ出力する。この場合、発光素子１１は、オン状態となり、トランジスタ２４のコレクタ電流に応じた輝度で発光する。
【００６８】
また、ＳＯＣ２５は、点灯タイミングＴＳ以外のタイミング、または第２制御において、たとえば接地電圧等の論理ローレベルの制御信号を発光素子１１へ出力する。この場合、発光素子１１は、オフ状態となり、消灯する。
【００６９】
図５は、本発明の実施の形態に係る宅内通信装置において発光素子を制御するための回路構成の他の例を示す図である。
【００７０】
図５を参照して、宅内通信装置１０１は、ＳＯＣ２５と、照度センサ５１と、発光素子１１と、抵抗２７とを備える。
【００７１】
ＳＯＣ２５は、たとえば処理部１３の一部または全部の機能を実現するＣＰＵであり、制御信号を発光素子１１へ出力する。
【００７２】
照度センサ５１は、照度情報をＳＯＣ２５へ出力する。
【００７３】
ＳＯＣ２５は、点灯タイミングＴＳかつ第１制御において、照度センサ５１から受けた照度情報の示す明るさに応じた周波数の制御信号を生成し、発光素子１１へ出力する。この制御信号の振幅は、たとえば一定である。この場合、発光素子１１は制御信号の周期で点灯し、発光素子１１の輝度は、制御信号の周波数に応じた大きさとなる。
【００７４】
また、ＳＯＣ２５は、点灯タイミングＴＳ以外のタイミング、または第２制御において、点灯タイミングＴＳ時に、たとえば接地電圧等の論理ローレベルの制御信号を発光素子１１へ出力する。この場合、発光素子１１は、オフ状態となり、消灯する。
【００７５】
図６は、本発明の実施の形態に係る宅内通信装置における発光素子の制御内容の一例を示す図である。
【００７６】
図６を参照して、制御部６は、時間判断部１から受けた時間情報が夜間であることを示し、照明判断部５から受けた照明使用情報が照明１５１のオン状態を示し、かつ人感情報取得部３から受けた人感情報が人間を検知した旨を示す場合、第１制御を行なう、すなわち照度センサ５１の周囲の明るさに応じて発光素子１１の輝度を調整する。
【００７７】
また、制御部６は、時間判断部１から受けた時間情報が夜間であることを示し、照明判断部５から受けた照明使用情報が照明１５１のオン状態を示し、かつ人感情報取得部３から受けた人感情報が人間を検知していない旨を示す場合、第２制御を行なう、すなわち発光素子１１を消灯させる。
【００７８】
また、制御部６は、時間判断部１から受けた時間情報が夜間であることを示し、照明判断部５から受けた照明使用情報が照明１５１のオフ状態を示し、かつ人感情報取得部３から受けた人感情報が人間を検知した旨を示す場合、第２制御を行なう、すなわち発光素子１１を消灯させる。
【００７９】
また、制御部６は、時間判断部１から受けた時間情報が夜間であることを示し、照明判断部５から受けた照明使用情報が照明１５１のオフ状態を示し、かつ人感情報取得部３から受けた人感情報が人間を検知していない旨を示す場合、第２制御を行なう、すなわち発光素子１１を消灯させる。
【００８０】
また、制御部６は、時間判断部１から受けた時間情報が昼間であることを示し、照明判断部５から受けた照明使用情報が照明１５１のオン状態を示し、かつ人感情報取得部３から受けた人感情報が人間を検知した旨を示す場合、第１制御を行なう、すなわち照度センサ５１の周囲の明るさに応じて発光素子１１の輝度を調整する。
【００８１】
また、制御部６は、時間判断部１から受けた時間情報が昼間であることを示し、照明判断部５から受けた照明使用情報が照明１５１のオン状態を示し、かつ人感情報取得部３から受けた人感情報が人間を検知していない旨を示す場合、第２制御を行なう、すなわち発光素子１１を消灯させる。
【００８２】
また、制御部６は、時間判断部１から受けた時間情報が昼間であることを示し、照明判断部５から受けた照明使用情報が照明１５１のオフ状態を示し、かつ人感情報取得部３から受けた人感情報が人間を検知した旨を示す場合、第１制御を行なう、すなわち照度センサ５１の周囲の明るさに応じて発光素子１１の輝度を調整する。
【００８３】
また、制御部６は、時間判断部１から受けた時間情報が昼間であることを示し、照明判断部５から受けた照明使用情報が照明１５１のオフ状態を示し、かつ人感情報取得部３から受けた人感情報が人間を検知していない旨を示す場合、第２制御を行なう、すなわち発光素子１１を消灯させる。
【００８４】
このように、制御部６は、夜間において照明１５１がオフされている場合、建物２０１における人の有無に関わらず、発光素子１１を消灯させる。すなわち、建物２０１に人が存在しても、就寝中であると判断し、発光素子１１を消灯させる。
【００８５】
また、制御部６は、昼間において建物２０１に人が存在する場合、照明１５１のオン状態およびオフ状態に関わらず、建物２０１内の明るさに応じて発光素子１１の輝度を調整する。すなわち、照明１５１がオフされていても、建物２０１内の人は起きていると判断し、発光素子１１を点灯させる。
【００８６】
［変形例］
図７は、本発明の実施の形態に係る宅内通信装置の変形例１における処理部の構成を示す図である。
【００８７】
図７を参照して、処理部１３は、図３に示す処理部１３と比べて、照明情報取得部４を含まない構成である。
【００８８】
照明判断部５は、照度情報取得部２によって取得された照度情報に基づいて使用状態を判断する。
【００８９】
より詳細には、照度情報取得部２は、通信部１２経由で照度センサ５１からの照度情報を受信し、受信した照度情報を照明判断部５および制御部６へ出力する。
【００９０】
照明判断部５は、照度情報取得部２から受けた照度情報の示す照度が所定の閾値以上である場合、照明１５１がオン状態であると判断し、所定の閾値未満である場合、照明１５１がオフ状態であると判断する。
【００９１】
図８は、本発明の実施の形態に係る宅内通信装置の変形例２における処理部の構成を示す図である。
【００９２】
図８を参照して、時間判断部１は、たとえばユーザが入力したＺＩＰコードを示す設定情報を設定受付部１５から受ける。時間判断部１は、設定受付部１５から受けた設定情報の示すＺＩＰコードを、たとえば通信部１２および外部ネットワーク２０２経由でサーバへ送信し、当該サーバから、自己の宅内通信装置１０１の設置場所の緯度および経度を示す位置情報を受信する。
【００９３】
そして、時間判断部１は、受信した位置情報をたとえば通信部１２および外部ネットワーク２０２経由で他のサーバへ送信し、当該他のサーバから、当該位置情報の示す緯度および経度に対応する日の出時刻および日没時刻等の境界時刻を受信する。
【００９４】
このような構成により、宅内通信装置１０１の設置地域に応じた適切な境界時刻を自動で設定することが可能となる。
【００９５】
なお、時間判断部１は、たとえばユーザの所有するスマートフォン等から通信部１２経由で緯度および経度を示す位置情報を受信してもよい。
【００９６】
また、本発明の実施の形態に係る宅内通信装置では、制御部６は、時間判断部１から受けた時間情報、照明判断部５から受けた照明使用情報、および人感情報取得部３から受けた人感情報に基づいて、第１制御および第２制御を切り替える構成であるとしたが、これに限定するものではない。宅内通信装置１０１は、人感情報取得部３を備えず、時間判断部１から受けた時間情報および照明判断部５から受けた照明使用情報に基づいて、第１制御および第２制御を切り替える構成であってもよい。
【００９７】
この場合、たとえば、制御部６は、時間判断部１から受けた時間情報が夜間であることを示し、かつ照明判断部５から受けた照明使用情報が照明１５１のオン状態を示す場合、第１制御を行い、時間判断部１から受けた時間情報が夜間であることを示し、かつ照明判断部５から受けた照明使用情報が照明１５１のオフ状態を示す場合、第２制御を行なう。すなわち、このような構成であっても、夜間における照明１５１の使用状態から、発光素子１１の点灯および消灯を適切に制御することができる。これにより、たとえば、夜間においてユーザが就寝中の場合に発光素子１１が点灯することをより確実に防ぎ、また、夜中であると判断される時刻にユーザが起きている場合でも、発光素子１１を点灯させることができるため、ユーザが宅内通信装置１０１の状態を正しく判断することが可能となる。
【００９８】
また、本発明の実施の形態に係る宅内通信装置において、照明判断部５は、照明スイッチ部５３からの照明情報および照度センサ５１からの照度情報の両方に基づいて、照明１５１の使用状態を判断する構成であってもよい。このような構成により、照明判断部５による判断の精度を向上させることができる。
【００９９】
ところで、たとえば、電源供給の有無等、装置の状態を示すための発光素子が設けられている装置において、特許文献１に記載の情報端末装置と同様に、外部の明るさに応じて当該発光素子の輝度を調整する構成では、たとえば、夜間においてユーザが就寝中であっても発光素子が点灯することになる。
【０１００】
このような不要な点灯を防止するために、たとえば、設定された時刻になると夜間であるとして発光素子を消灯する方法が考えられる。
【０１０１】
しかしながら、このような方法では、時刻設定通りにしか発光素子が制御されず、たとえば、設定された時刻を過ぎてもユーザが起きている場合、発光素子が消灯しているため、ユーザが当該装置の状態を正しく判断することが困難となる。
【０１０２】
これに対して、本発明の実施の形態に係る宅内通信装置では、発光素子１１は、宅内通信装置１０１の状態を示すためのものである。時間判断部１は、現在時刻に関する判断を行なう。照度情報取得部２は、宅内に配置される照度センサ５１の検出結果を示す照度情報を取得する。照明判断部５は、宅内に配置される照明１５１の使用状態を判断する。そして、制御部６は、時間判断部１による判断結果、および照明判断部５による判断結果に基づいて、発光素子１１の輝度を、照度情報取得部２によって取得された照度情報の示す検出結果に応じた大きさに変更する第１制御、および発光素子１１を消灯させる第２制御を切り替える。
【０１０３】
このような構成により、宅内すなわち建物２０１内における明るさに応じて発光素子１１の輝度を適切に調整することに加えて、現在時刻、および宅内における照明１５１の使用状態から、発光素子１１の点灯および消灯を適切に制御することができる。これにより、たとえば、夜間においてユーザが就寝中の場合に発光素子１１が点灯することをより確実に防ぎ、また、夜中であると判断される時刻にユーザが起きている場合でも、発光素子１１を点灯させることができるため、ユーザが宅内通信装置１０１の状態をより正しく判断することが可能となる。
【０１０４】
したがって、本発明の実施の形態に係る宅内通信装置では、装置の状態を示すための発光素子を備える装置において、装置の状態をより正しく把握することができる。
【０１０５】
また、本発明の実施の形態に係る宅内通信装置では、人感情報取得部３は、宅内における人間の存在を検知する人感センサ５２の検知結果を示す人感情報を取得する。そして、制御部６は、時間判断部１による判断結果、照明判断部５による判断結果、および人感情報取得部３によって取得された人感情報の示す検知結果に基づいて、第１制御および第２制御を切り替える。
【０１０６】
このような構成により、宅内に人が存在するか否かの情報をさらに用いて、発光素子１１の点灯および消灯をより適切に制御することができる。
【０１０７】
また、本発明の実施の形態に係る宅内通信装置では、制御部６は、時間判断部１による判断結果が夜間であることを示し、照明判断部５による判断結果が照明１５１のオン状態を示し、かつ人感情報が人間を検知した旨を示す場合、第１制御を行なう。
【０１０８】
このような構成により、たとえば、夜間においてより適切な条件で発光素子１１を点灯させることができる。すなわち、たとえば、夜間において照明１５１がオンされているが宅内に人が存在しない状況において、発光素子１１が無駄に点灯されることを防ぐことができる。
【０１０９】
また、本発明の実施の形態に係る宅内通信装置では、照明情報取得部４は、照明１５１のスイッチの状態を示す照明情報を取得する。そして、照明判断部５は、照明情報取得部４によって取得された照明情報に基づいて使用状態を判断する。
【０１１０】
このような構成により、宅内における照明の使用状態を、直接的に正しく判断することができる。たとえば、宅内に設置された照度センサ５１の検出結果を用いて当該使用状態を判断する構成と比べて、照明１５１の常夜灯が点灯している状況、および外の街灯等からの光によって宅内がある程度明るい状況等においても、当該使用状態をより正確に判断することができる。
【０１１１】
また、本発明の実施の形態に係る宅内通信装置では、照明判断部５は、照度情報取得部２によって取得された照度情報に基づいて使用状態を判断する。
【０１１２】
このような構成により、照明１５１にそのスイッチの状態を他の装置すなわち宅内通信装置１０１に報告する機能を搭載させることなく、発光素子１１の輝度を調整するための既存の仕組みを流用して、宅内における照明の使用状態を判断することができる。
【０１１３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１１４】
以上の説明は、以下に付記する特徴を含む。
【０１１５】
［付記１］
宅内に配置される宅内通信装置であって、
前記宅内通信装置の状態を示すための発光素子と、
現在時刻に関する判断を行なう時間判断部と、
前記宅内に配置される照度センサの検出結果を示す照度情報を取得する照度情報取得部と、
前記宅内に配置される照明の使用状態を判断する照明判断部と、
前記宅内通信装置の状態を判断する装置状態判断部と、
装置状態判断部による判断結果、前記時間判断部による判断結果、および前記照明判断部による判断結果に基づいて、前記発光素子の輝度を、前記照度情報取得部によって取得された前記照度情報の示す前記検出結果に応じた大きさに変更する第１制御、および前記発光素子を消灯させる第２制御を切り替える制御部とを備える、宅内通信装置。
【符号の説明】
【０１１６】
１  時間判断部
２  照度情報取得部
３  人感情報取得部
４  照明情報取得部
５  照明判断部
６  制御部
７  装置状態判断部
１１  発光素子
１２  通信部
１３  処理部
１４  時計部
１５  設定受付部
２１  受光素子
２２  差動増幅器
２３  抵抗
２４  トランジスタ
２５  ＳＯＣ
２６  抵抗
５１  照度センサ
５２  人感センサ
５３  照明スイッチ部
１０１  宅内通信装置
３０１  通信システム
【図１】
2017033840.tif 000003
【図２】
2017033840.tif 000004
【図３】
2017033840.tif 000005
【図４】
2017033840.tif 000006
【図５】
2017033840.tif 000007
【図６】
2017033840.tif 000008
【図７】
2017033840.tif 000009
【図８】
2017033840.tif 000010